(57)【要約】  照明光を提供する照明器具が、入力無線信号を受信する、及び、入力無線信号に対応する出力無線信号を送信するように構成される無線信号中継器を含む。照明器具はさらに、空間を監視する、及び、空間が占有されているかどうかを示す占有検出情報を出力するように構成される占有センサを含む。無線信号中継器は、占有検出情報に基づいて動作するように構成される。
2021519492.tif 000002
【特許請求の範囲】
【請求項１】
照明光を提供する照明器具であって、当該照明器具は、
入力無線信号を受信する、及び、前記入力無線信号に対応する出力無線信号を送信するように構成される無線信号中継器と、
空間を監視する、及び、前記空間が占有されているかどうかを示す占有検出情報を出力するように構成される占有センサと、
を含み、前記無線信号中継器は、前記占有検出情報に基づいて動作するように構成される、照明器具。
【請求項２】
前記無線信号中継器は、前記占有検出情報が前記空間が占有されていることを示す場合、第１の出力レベルで前記出力無線信号を送信するように構成され、前記無線信号中継器は、前記占有検出情報が前記空間が占有されていないことを示す場合、前記第１の出力レベルよりも小さい第２の出力レベルで前記出力無線信号を送信するように構成される、請求項１に記載の照明器具。
【請求項３】
前記無線信号中継器は、前記占有検出情報が前記空間が占有されていることを示す場合、前記出力無線信号の送信を開始するように構成される、請求項１に記載の照明器具。
【請求項４】
前記無線信号中継器は、前記占有検出情報が前記空間が占有されていないことを示す場合、前記出力無線信号の送信を停止するように構成される、請求項１に記載の照明器具。
【請求項５】
前記無線信号中継器は、前記占有センサによって検出される占有者が前記照明器具に記憶されるユーザプロファイルに関連する場合、前記出力無線信号を送信するように構成される、請求項４に記載の照明器具。
【請求項６】
前記無線信号中継器は、ユーザプロファイルに示される帯域幅で前記出力無線信号を送信するように構成される、請求項１に記載の照明器具。
【請求項７】
前記無線信号中継器は、空きチャネル又は比較的混雑していないチャネルをスキャンするように構成され、前記無線信号中継器は、前記出力無線信号を送信するために前記空きチャネル又は前記比較的混雑していないチャネルを使用するように構成される、請求項１に記載の照明器具。
【請求項８】
前記無線信号中継器は、１つ以上の期間に前記出力無線信号を送信するように構成され、前記無線信号中継器は、前記１つ以上の期間以外に前記出力無線信号を送信しないように構成される、請求項１に記載の照明器具。
【請求項９】
当該照明器具は、前記照明光を提供する光源を含み、前記光源へのパワーは、前記占有検出情報が前記空間が占有されていないことを示す場合、オフされ、前記パワーは、前記占有検出情報が前記空間が占有されていることを示す場合、オンされる、請求項１に記載の照明器具。
【請求項１０】
前記無線信号中継器は、互いに異なるネットワークチャネルで前記出力無線信号及び第２の出力無線信号を送信するように構成される、請求項１に記載の照明器具。
【請求項１１】
無線ネットワークのカバレッジを拡張する方法であって、
照明器具の無線信号中継器によって、入力無線信号を受信することと、
前記無線信号中継器によって、占有センサからの占有検出情報が前記占有センサによって監視される空間が占有されていることを示す場合、第１の出力レベルで出力無線信号を送信することであって、前記出力無線信号は、前記入力無線信号に対応する、ことと、
前記無線信号中継器によって、前記占有センサからの前記占有検出情報が前記空間が占有されていないことを示す場合、前記第１の出力レベルよりも小さい第２の出力レベルで前記出力無線信号を送信することと、
を含む、方法。
【請求項１２】
当該方法は、空きチャネル又は比較的混雑していないチャネルをスキャンすることを含み、前記無線信号中継器は、前記出力無線信号を送信するために前記空きチャネル又は前記比較的混雑していないチャネルを使用するように構成される、請求項１１に記載の方法。
【請求項１３】
前記無線信号中継器は、第１のネットワークチャネルで前記出力無線信号を送信し、前記第１のネットワークチャネルとは異なる第２のネットワークチャネルで第２の出力無線信号を送信する、請求項１１に記載の方法。
【請求項１４】
前記無線信号中継器は、前記占有センサからの前記占有検出情報が前記空間が占有されていないことを示した後待ち期間をおいて前記第２の出力レベルで前記出力無線信号の送信を開始する、請求項１１に記載の方法。
【請求項１５】
当該方法は、前記占有検出情報に基づいて前記照明器具の光源によって提供される照明光を制御することを含む、請求項１１に記載の方法。
【発明の詳細な説明】
【技術分野】
【０００１】
[０００１］  本開示は、広くは、照明システムに組み込まれる無線信号中継器に関し、とりわけ、照明システムに組み込まれ、占有センサによる検出に基づいて動作する無線中継器に関する。
【背景技術】
【０００２】
[０００２］  Ｗｉ−Ｆｉネットワーク等の無線ネットワークでは、ネットワークルータからの無線信号は、一部のユーザにとって最適ではないことがよくあり得る。例示するために、無線ルータ（例えば、Ｗｉ−Ｆｉネットワークルータ）によって提供される典型的な全方位カバレッジは、一般的に円形ではない典型的な商業空間及び住宅空間にはあまり適していない場合がある。無線ルータは、電源コンセント及びネットワークのエントリーポイントの近くに配置されることが多いため、そのような無線ルータによって提供される無線信号カバレージは、例えば、ルータから離れている、又は無線信号を遮断若しくは弱める建物構造によって隔てられている商業建物及び住宅建物の場所では、不十分であることが多い。例えば、無線ルータは、家屋／建物の一端にあるネットワークモデムの壁コンセントの近くに配置されることが多く、無線ルータによって送信される無線信号は、ルータの位置から離れた部屋で使用するのに十分な強度を欠いていることが多い。無線ネットワークカバレッジを拡張するために追加される典型的な無線信号中継器は、多くの理由で満足できない場合がある。例えば、建物又は家屋の様々な部分が不十分な無線ネットワークカバレッジに悩まされる可能性があるため、典型的な中継器は、ネットワークカバレッジを一般的に大きなエリアに拡張するために高出力で無線信号を送信することが多い。このようなネットワークカバレッジの拡張の結果、中継器からの無線信号は、建物又は家屋の外のエリアに到達し、斯くして、ネットワークをセキュリティリスクにさらすことになり得る。さらに、カバレッジエリアのいくつかの部分におけるユーザの存在に関係なくネットワークカバレッジを継続的に拡張することも、ネットワークをセキュリティリスクにさらすことになり得る。
【発明の概要】
【発明が解決しようとする課題】
【０００３】
[０００２］  斯くして、セキュリティリスクを最小限に抑える一方、無線ネットワークカバレッジの拡張を可能にするソリューションが望まれている。
【課題を解決するための手段】
【０００４】
[０００３］  本開示は、広くは、照明システムに組み込まれる無線信号中継器に関し、とりわけ、照明システムに組み込まれ、占有センサによる検出に基づいて動作する無線中継器に関する。いくつかの例示的な実施形態において、照明光を提供する照明器具は、入力無線信号を受信する、及び、入力無線信号に対応する出力無線信号を送信するように構成される無線信号中継器(wireless signal repeater)を含む。照明器具はさらに、空間を監視する、及び、空間が占有されているかどうかを示す占有検出情報を出力するように構成される占有センサを含む。無線信号中継器は、占有検出情報に基づいて動作するように構成される。
【０００５】
[０００４］  別の例示的な実施形態において、照明器具は、照明光を提供する光源を含む。照明器具はさらに、入力無線信号を受信する、及び、入力無線信号に対応する出力無線信号を送信するように構成される無線信号中継器を含む。光源及び無線信号中継器は、照明器具の外部にある占有センサからの占有検出情報に基づいて動作するように構成される。占有検出情報は、占有センサによって監視される空間が占有されているかどうかを示す。
【０００６】
[０００５］  別の例示的な実施形態において、無線ネットワークのカバレッジを拡張する方法は、照明器具の無線信号中継器によって、入力無線信号を受信することと、無線信号中継器によって、占有センサからの占有検出情報が占有センサによって監視される空間が占有されていることを示す場合、第１の出力レベルで出力無線信号を送信することとを含む。出力無線信号は、入力パワー信号に対応する。当該方法はさらに、占有センサからの占有検出情報が空間が占有されていないことを示す場合、第１の出力レベルよりも小さい第２の出力レベルで出力無線信号を送信することを含む。
【０００７】
[０００６］  これらの及び他の態様、目的、特徴及び実施形態は、以下の説明及び添付の特許請求の範囲から明らかになるであろう。
【図面の簡単な説明】
【０００８】
[０００７］  ここで、必ずしも縮尺通りではない、添付の図を参照する。
【図１】[０００８］  図１は、例示的な実施形態による組み込まれた占有センサ及び無線信号中継器を備える照明器具を示す。
【図２】[０００９］  図２は、例示的な実施形態による図１の無線信号中継器のブロック図を示す。
【図３】[００１０］  図３は、例示的な実施形態によるセンサベースの照明及び中継システムを示す。
【図４】[００１１］  図４は、例示的な実施形態によるセンサベースの照明及び中継システムを示す。
【図５】[００１２］  図５は、別の例示的な実施形態によるセンサベースの照明及び中継システムを示す。
【発明を実施するための形態】
【０００９】
[００１３］  図面は、例示的な実施形態のみを示しており、したがって、範囲を限定するものと考えられるべきではない。図面に示される要素及び特徴は、必ずしも縮尺通りではなく、代わりに、例示的な実施形態の原理を明確に例示することに重点が置かれている。さらに、特定の寸法又は配置は、そのような原理を視覚的に伝えるのに役立つように誇張されている場合がある。図面において、異なる図の間の同様の参照数字は、類似又は対応するが、必ずしも同一ではない要素を示す。
【００１０】
[００１４］  以下の段落において、例示的な実施形態が、例として、図を参照してさらに詳細に説明される。説明において、よく知られたコンポーネント、方法、及び／又は処理技術は、省略されるか、又は簡単に述べられる。さらに、例示的な実施形態の様々な特徴への参照は、すべての実施形態が参照された特徴を含まなければならないことを示唆するものではない。
【００１１】
[００１５］  いくつかの例示的な実施形態では、Ｗｉ−Ｆｉネットワークカバレッジ等の無線ネットワークカバレッジは、空間が占有されているかどうかに応じて、及び場合によっては占有のレベルに基づいて、無線信号中継器の信号中継動作(signal repeating operation)を動的に制御することにより最適化されてもよい。例えば、所与の空間に占有者が検出されない場合、無線信号中継器による信号中継動作は、無線信号中継器へのパワーをオフすることにより、又は送信される信号の信号出力レベルを調整することによりオフされてもよい。通常の出力レベルでの無線ネットワーク信号の送信を、空間が１人以上の占有者によって占有されている時に限定することにより、不要な帯域幅の割り当てのみならず、ネットワークセキュリティリスクへの曝露が、低減されることができる。
【００１２】
[００１６］  ここで、図に目を向け、例示的な実施形態が述べられる。図１は、例示的な実施形態による組み込まれた占有センサ１０２及び無線信号中継器１０４を備える照明器具１００を示す。照明器具１００は、埋め込み照明器具(recessed luminaire)、吊り下げ型照明器具(suspended luminaire)、又は別のタイプの照明器具であってもよい。いくつかの例示的な実施形態では、照明器具１００は、光源１０６（例えば、ＬＥＤ光源）、センサ１０２、及び無線信号中継器１０４を含む。照明器具１００はまた、電源１０８を含んでもよい。
【００１３】
[００１７］  いくつかの例示的な実施形態では、照明器具１００は、占有センサ１０２が空間が占有されているかどうかを判断することができるように空間に配置されてもよい。占有センサ１０２は、空間が占有されているかどうかを示す占有検出情報を出力してもよい。例えば、占有検出情報は、占有センサ１０２によって監視される空間が占有されていることを示してもよい。代替的又は追加的に、占有検出情報は、占有センサ１０２によって監視される空間が占有されていないことを示してもよい。また、占有検出情報は、空間の占有者の数を示してもよい。例示するために、占有センサ１０２は、プロセッサ（例えば、マイクロコントローラ）、コントローラ（例えば、マイクロコントローラ）、又は、占有センサ１０２によって受信又は捕捉されるセンシング情報（例えば、信号、画像、音等）を処理し、占有検出情報を出力し得る他の回路を含んでもよい。例えば、占有センサ１０２は、空間が占有されているかどうかを判断するためにセンシング情報を処理するためにメモリデバイスに記憶されるソフトウェアコードを実行してもよい。代替的に、照明器具１００の別のコンポーネント又は回路が、占有センサ１０２からセンシング情報を受け、占有検出情報を生成してもよい。占有検出情報は、無線信号中継器１０４、電源１０８、及び／又は照明器具１００の他のコンポーネントに提供されてもよい。
【００１４】
[００１８］  いくつかの例示的な実施形態では、占有センサ１０２は、空間（例えば、部屋）が占有されているかどうかを検出することができるパッシブ赤外線（ＰＩＲ）センサ、Ｂｌｕｅｔｏｏｏｔｈ Ｌｏｗ Ｅｎｅｒｇｙ（ＢＬＥ）センサ、超音波センサ、カメラセンサ等のうちの１つ以上を含んでもよい。例えば、動きは、１人以上の占有者のインディケーションと見なされてもよく、占有センサ１０２は、占有センサ１０２のセンシングエリア内の動きを感知し得る動きセンサを含んでもよい。占有センサ１０２は、典型的な居間、寝室、オフィス、屋外空間（例えば、パティオ）等の空間内の動きを感知することができてもよい。
【００１５】
[００１９］  いくつかの例示的な実施形態では、占有センサ１０２は、典型的な動きセンサの代わりに、又はそれに加えて、Ｂｌｕｅｔｏｏｔｈ及び／又は他の無線信号を検出してもよい。例えば、Ｂｌｕｅｔｏｏｏｔｈ及び／又は他の無線信号は、１人以上の占有者のインディケーションと見なされてもよい。例示するために、占有センサ１０２は、無線（無線周波数(radiofrequency)）信号受信機を含んでもよく、センサ１０２は、Ｂｌｕｅｔｏｏｔｈ信号及び／又は他の無線信号が無線信号受信機によって特定の出力レベル以上で受信されるかどうかに基づいて、空間が占有されているかどうかを判断してもよい。例えば、占有センサ１０２は、占有センサ１０２が１つ以上のモバイルデバイス（例えば、携帯電話）からの１つ以上のＢＬＥ信号を検出するかどうかに基づいて、空間が占有されているかどうかを判断してもよい。また、占有センサ１０２は、異なるソースから受けるＢＬＥ信号に基づいて、空間内の占有者の数を決定又は推定し、占有者の数を含む占有検出情報を、例えば、無線信号中継器１０４に提供してもよい。
【００１６】
[００２０］  いくつかの例示的な実施形態では、動き及び／又はＢＬＥ信号を検出する代わりに、又はそれに加えて、占有センサ１０２は、空間が占有されているかどうかを判断するために音を検出してもよい。例示するために、占有センサ１０２は、１つ以上のマイクロフォンを含んでもよく、マイクロフォンによって受ける音が人間の声に対応するかどうかを判断するために１つ以上のマイクロフォンからの音声信号を処理してもよい。占有センサ１０２は、人間の声等を含む様々な音を検出してもよく、当該音のサウンドレベル、パターン、周波数等に基づいて空間が１人以上の人によって占有されているかどうかを判断してもよい。また、占有センサ１０２は、１つ以上のマイクによって拾われる音に基づいて空間内の占有者の数を決定又は推定し、占有者の数を含む占有検出情報を、例えば、無線信号中継器１０４に提供してもよい。
【００１７】
[００２１］  いくつかの例示的な実施形態では、占有センサ１０２は、他の占有者検出手段の代わりに、又はそれに加えて、空間の画像を捕捉するカメラを含んでもよい。占有センサ１０２は、１人以上の人が空間に存在するかどうかを判断するためにカメラによって捕捉される画像を処理してもよい。例えば、占有センサ１０２は、カメラによって捕捉される１つ以上の静止画像又はビデオ画像中の人を識別するために画像処理ソフトウェアを実行してもよい。例示するために、占有センサ１０２は、顔の特徴に基づいて人を識別するために画像解析を実行してもよい。また、占有センサ１０２は、１つ以上の画像に基づいて空間内の占有者の数を決定又は推定し、占有者の数を含む占有検出情報を、例えば、無線信号中継器１０４に提供してもよい。
【００１８】
[００２２］  いくつかの例示的な実施形態では、無線信号中継器１０４は、入力無線（無線周波数）信号を受信し、無線信号中継器１０４によって受信される入力無線信号の出力レベルよりも高い出力レベルで出力無線（無線周波数）信号を送信することによって無線ネットワークカバレッジを増加させてもよい。無線信号中継器１０４によって送信される出力無線信号は、本開示の恩恵を受けて当業者によって容易に理解され得るように、受信された無線信号に対応する。例示するために、出力無線信号は、入力無線信号の増幅されたバージョンであってもよい。例えば、無線信号中継器１０４は、Ｗｉ−Ｆｉネットワーク中継器であってもよい。
【００１９】
[００２３］  いくつかの例示的な実施形態では、無線信号中継器１０４は、ネットワークデバイス（例えば、無線ルータデバイス又はアクセスポイントデバイス）から無線信号を受信し、受信された無線信号に対応する出力無線信号をより高い出力レベルで送信してもよい。例えば、無線信号中継器１０４は、無線ルータから入力無線信号を受信し、出力無線信号をデスクトップ、ラップトップ、テーブル、携帯電話等のユーザデバイスに送信してもよい。また、無線信号中継器１０４は、ユーザデバイスからの無線信号を受信し、対応する無線信号を、例えば、より高い出力レベルで、ネットワークデバイスに送信してもよい。いくつかの例示的な実施形態では、無線信号中継器１０４は、１つ以上のＷｉ−Ｆｉ規格（例えば、ＩＥＥＥ  ８０２．１１ｂ／ｇ／ｎ／ａｃ）等の１つ以上の無線規格に準拠した無線信号を送信及び受信してもよい。
【００２０】
[００２４］  いくつかの例示的な実施形態では、電源１０８は、入力パワー（例えば、ＡＣ又はＤＣパワー）を受け、センサ１０２、無線信号中継器１０４、及び光源１０８に出力パワー（例えば、ＤＣパワー）を供給してもよい。例えば、電源１０８は、センサ１０２、無線信号中継器１０４、及び光源１０８に結合される別個のパワーアウトプットを介してセンサ１０２、無線信号中継器１０４、及び光源１０８にパワーを供給するマルチチャネル電源であってもよい。電源１０８は、異なる電圧レベルでセンサ１０２、無線信号中継器１０４、及び光源１０８にパワーを供給してもよい。例えば、電源１０８は、光源１０６と互換性のある電圧レベルで、かつ電源１０８によってセンサ１０２及び中継器１０４に供給される電圧レベルとは異なる電圧レベルで光源１０６（例えば、ＬＥＤ光源）にパワーを供給するＬＥＤドライバを含んでもよい。代替的に、電源１０８は、光源１０６だけでなく、センサ１０２及び無線信号中継器１０４にも結合される単一のパワーアウトプットを有してもよい。例えば、センサ１０２、無線信号中継器１０４、及び光源１０６のうちの１つ以上は、電源１０８から受けるパワーから所望の出力レベルで電力を生成するための回路（例えば、電圧レギュレータ）を含んでもよい。さらに他の代替的な実施形態では、外部回路は、電源１０８からパワーを受け、センサ１０２及び無線信号中継器１０４と互換性のある電圧レベルで出力パワーを生成してもよい。
【００２１】
[００２５］  いくつかの例示的な実施形態では、電源１０８は、電気的接続１１０（例えば、１つ以上の電気ワイヤ）を介して占有センサ１０２から占有検出情報を受けてもよい。電源１０８は、占有検出情報に基づいて電源１０８によって無線信号中継器１０４及び／又は光源１０６に供給されるパワーを制御してもよい。例えば、電源１０８は、占有センサ１０２によって監視される空間に占有者が検出されないことを示す占有検出情報に応答して無線信号中継器１０４及び光源１０６の一方又は両方に供給されるパワーをオフしてもよい。電源１０８は、空間が占有されていないことを示すインディケーションを受けると直ちにパワーをオフしてもよい。代替的に、電源１０８は、占有者が検出されないという占有検出情報によるインディケーションに続く待ち時間（例えば、５分）後にパワーをオフしてもよい。電源１０８によって無線信号中継器１０４に供給されるパワーがオフされると、無線信号中継器１０４は、電源オフされてもよく、及び／又はユーザデバイスへの無線信号の送信を停止してもよい。また、光源１０６は、電源１０８によって光源１０６に供給されるパワーがオフされると光の放射を停止してもよい。
【００２２】
[００２６］  いくつかの代替的な実施形態では、無線信号中継器１０４及び／又は光源１０６に供給されるパワーをオフする代わりに、電源１０８は、占有センサ１０２によって監視される空間に占有者が検出されないことを示す占有センサ１０２からの占有検出情報に応答してパワーを減少させてもよい。電源１０８は、占有者が検出されないことを示す占有検出情報によるインディケーションに応じて直ちにパワーを減少させてもよい。代替的に、電源１０８は、占有者が検出されないという占有検出情報によるインディケーションに続く待ち時間後にパワーを減少させてもよい。電源１０８からの減少されたパワーに応答して、無線信号中継器１０４は、無線信号中継器１０４によって送信される無線信号の出力レベルを減少させてもよい。代替的又は追加的に、電源１０８からの減少されたパワーの結果として、光源１０６によって供給される光は減光されてもよい。
【００２３】
[００２７］  いくつかの例示的な実施形態では、電源１０８によって無線信号中継器１０４及び光源１０６の一方又は両方に供給される電力がオフである場合、電源１０８は、空間内の１人以上の占有者の検出を示す占有検出情報に応答してパワーをオンしてもよい。電源１０８によって供給されるパワーが以前に減少されていた場合、電源１０８は、空間内の１人以上の占有者の検出を示す占有検出情報に応答して減少されたパワーから通常の動作出力レベルにパワーを増加させてもよい。
【００２４】
[００２８］  いくつかの例示的な実施形態では、無線信号中継器１０４は、占有センサ１０２から無線信号中継器１０４に提供される占有検出情報に基づいて動作してもよい。例えば、無線信号中継器１０４は、電気的接続１１２（例えば、１つ以上の電気ワイヤ）を介して占有センサ１０２から占有検出情報を受けてもよい。例示するために、電源１０８は、占有検出情報が占有センサ１０２によって監視される空間が占有されていることを示すか否かにかかわらず、無線信号中継器１０４にパワーを供給してもよく、無線信号中継器１０４は、占有検出情報に基づいて動作してもよい。
【００２５】
[００２９］  いくつかの例示的な実施形態では、無線信号中継器１０４は、ネットワークデバイス（例えば、無線ルータデバイス、アクセスポイントデバイス等）から無線信号を受信し、受信された無線信号の出力レベルより高い通常の出力レベルで出力無線信号を送信してもよい。上述したように、無線信号中継器１０４によって送信される出力無線信号は、受信された無線信号に対応する。無線信号中継器１０４は、占有センサ１０２によって監視される空間に１人以上の占有者が検出されることを示す占有センサ１０２からの占有検出情報に応答して通常の動作出力レベルで出力無線信号をユーザデバイスに送信してもよい。例えば、無線信号中継器１０４は、占有センサ１０２によって監視される空間が占有されていることを示す占有検出情報に応答して比較的低い出力レベルから通常の動作出力レベルに無線信号中継器１０４によって送信される無線信号の出力レベルを増加させてもよい。占有検出情報が占有者の検出／存在を示す前に無線信号中継器１０４が無線信号を送信していなかった場合、無線信号中継器１０４は、空間が占有されていることを示す占有検出情報に応答して通常の動作出力レベルで無線信号の送信を開始してもよい。
【００２６】
[００３０］  いくつかの例示的な実施形態では、占有センサ１０２による占有者が検出されないことを示す占有検出情報に応答して、無線信号中継器１０４は、比較的低い出力レベルでユーザデバイスに無線信号を送信してもよい。例示するために、無線信号中継器１０４は、ユーザデバイスが送信された無線信号を成功裏に受信することができないような低い出力レベルでユーザデバイスに無線信号を送信してもよい。代替的に、無線信号中継器１０４は、無線信号中継器１０４の近くにある（例えば、５フィート以内、１０フィート以内等）ユーザデバイスのみが送信された無線信号を成功裏に受信することができるような低出力レベルでユーザデバイスに無線信号を送信してもよい。無線信号中継器１０４の１つ以上の出力増幅器の増幅利得は、無線信号中継器１０４によって送信される無線信号の出力レベルを減少させるように制御されてもよい。無線信号中継器１０４は、占有センサ１０２によって監視される空間が占有されていないというセンサ１０２によるインディケーション後直ちに、又はそれに続く待ち時間を待った後に低い出力レベルで無線信号を送信してもよい。
【００２７】
[００３１］  いくつかの例示的な実施形態では、低い出力レベルで無線信号を送信する代わりに、無線信号中継器１０４は、センサ１０２によって監視される空間が占有されていない（すなわち、占有センサ１０２によって占有者が検出されない）ことを示す無線信号中継器１０４に提供される占有検出情報に応答してユーザデバイスへの無線信号の送信を無効(disable)にしてもよい。例えば、無線信号中継器１０４は、空間が占有されていないことを占有検出情報が示した後直ちに、又はその後の待ち時間に続いて無線信号の送信を無効にしてもよい。その後、無線信号中継器１０４は、センサ１０２によって監視される空間が占有されていることを示すセンサ１０２からの占有検出情報に応答してユーザデバイスへの無線信号の送信を開始してもよい。
【００２８】
[００３２］  いくつかの例示的な実施形態では、無線信号中継器１０４は、空いている又は比較的混雑していないチャネルを識別するために無線信号チャネルをスキャンすることができる。例えば、監視される空間が占有されていることを示すセンサ１０２からの占有検出情報に応じて、無線信号中継器１０４は、空きチャネル又は比較的混雑していないチャネルを識別するために無線信号チャネル（例えば、Ｗｉ−Ｆｉチャネル）をスキャンしてもよく、ラップトップ、タブレット、携帯電話等のユーザデバイスに無線信号を送信するために空きチャネル又は比較的混雑していないチャネルのうちの１つ以上を使用してもよい。
【００２９】
[００３３］  いくつかの例示的な実施形態では、監視された空間に複数の占有者が存在することを示す占有検出情報に応答して、無線信号中継器１０４は、異なるチャネルを使用して異なるユーザデバイスに無線信号を送信してもよい。監視された空間内の占有者の数を示す占有検出情報に応答して、無線信号中継器１０４は、異なるチャネルを用いて異なるユーザデバイスに無線信号を送信してもよい。複数の占有者の存在又は占有者の数は、センサ情報を提供する占有センサ１０２の複数のセンサ要素を使用すること、異なるソースからのＢＬＥ信号を識別すること、画像解析、音声解析、及び／又は本開示の恩恵を受けて当業者によって考えられ得る他の手段を含む多くの方法で占有センサ１０２によって決定又は推定されてもよい。
【００３０】
[００３４］  いくつかの例示的な実施形態では、１つ以上のユーザプロファイルが、照明器具１００に記憶されてもよい。例えば、ユーザプロファイルは、照明器具１００の占有センサ１０２及び／又は無線信号中継器１０４が受信するＢＬＥ信号中のＢＬＥシグネチャと比較されることができるＢＬＥシグネチャを含んでもよい。ＢＬＥシグネチャは、例えば、特定の人に関連するユーザデバイスのデバイスＩＤを含んでもよい。例示するために、占有センサ１０２は、受信されたＢＬＥ信号中のＢＬＥシグネチャが照明器具１００（例えば、照明器具１００のメモリデバイス）に記憶されるユーザプロファイル中のＢＬＥシグネチャとマッチする場合にのみ、ＢＬＥ信号に基づいて、占有者が検出されることを示してもよい。代替的に、占有センサ１０２は、受信されたＢＬＥ信号中のＢＬＥシグネチャが、照明器具１００（例えば、照明器具１００のメモリデバイス）に記憶されるユーザプロファイル中のＢＬＥシグネチャとマッチする場合、占有者が検出されることを示さなくてもよい。
【００３１】
[００３５］  いくつかの代替的な実施形態では、占有センサ１０２は、ＢＬＥシグネチャとは独立して、動き、ＢＬＥ信号、音、画像解析等に基づいて占有を検出してもよい。例えば、無線信号中継器１０４は、占有センサ１０２又は照明器具１００の別のレシーバによって受信されるＢＬＥ信号中のＢＬＥシグネチャが、照明器具１００に記憶されるユーザプロファイル中のＢＬＥシグネチャとマッチするかどうかに基づいて無線ネットワークを拡張するかどうかを決定してもよい。
【００３２】
[００３６］  いくつかの例示的な実施形態では、ユーザプロファイルは、１人以上のユーザに関連する顔の特徴及び／又は他の識別情報を含んでもよい。例えば、占有センサ１０２によって捕捉される１つ以上の画像は、画像中の人がユーザプロファイルに関連するかどうかを判断するために占有センサ１０２又は照明器具１００の別のコンポーネントによって分析されてもよい。占有センサ１０２は、画像中の人がユーザプロファイルに関連する場合、占有者が検出されることを示してもよい。占有センサ１０２は、画像中の人がユーザプロファイルに関連する場合、占有者が検出されることを示さなくてもよい。
【００３３】
[００３７］  いくつかの例示的な実施形態では、無線信号中継器１０４は、照明器具１００に記憶されるユーザプロファイルに関連するユーザデバイスのみが拡張されたネットワークを使用することができるように、無線ネットワークカバレッジを拡張してもよい。例えば、ユーザプロファイルは、ネットワーク又は別の識別情報を含む情報を含んでもよく、無線信号中継器１０４は、特定の識別情報に関連した出力無線信号を送信してもよい。代替的に、無線信号中継器１０４は、記憶されたユーザプロファイルに関連する１つのユーザデバイスが検出される場合、無線ネットワークカバレッジをすべてのユーザデバイスに拡張してもよい。
【００３４】
[００３８］  いくつかの例示的な実施形態では、照明器具１００に記憶されるあるユーザプロファイルは、帯域幅情報（例えば、データレート等）を含んでもよい。例えば、異なるユーザは、ユーザプロファイルにおいて異なる帯域幅を割り当てられてもよい。例示するために、無線信号中継器１０４は、記憶されたユーザプロファイル内のデータレート割り当て及び／又はデータレート優先度情報に基づいて、あるユーザデバイスに関連した無線信号を他のデバイスよりも高いデータレートで送信してもよい。
【００３５】
[００３９］  いくつかの例示的な実施形態では、無線信号中継器１０４は、特定の期間に通常の出力レベル（すなわち、入力無線信号の出力レベルよりも高い）で出力無線信号を送信することによって無線ネットワークカバレッジを拡張するように構成されてもよい。例示するために、無線信号中継器１０４は、占有センサ１０２によって占有者が検出されても、特定の期間（例えば、午前８時から午後５時まで）以外は無線ネットワークカバレッジを拡張しなくてもよい。例えば、無線信号中継器１０４は、１人以上の占有者が検出されるか否かにかかわらず、特定の期間に無線ネットワークカバレッジを拡張するように構成されてもよい。代替的に、無線信号中継器１０４は、１人以上の占有者が検出される場合にのみ、特定の期間に無線ネットワークカバレッジを拡張するように構成されてもよい。いくつかの代替的な実施形態では、無線信号中継器１０４は、占有者が検出されても、特定の期間に無線ネットワークカバレッジを拡張しないように構成されてもよい。
【００３６】
[００４０］  監視された空間が占有されていない場合に低出力でユーザデバイスに無線信号を送信することによって、及び／又はユーザデバイスへの無線信号の送信を無効にすることによって、信号干渉が低減され得、無線ネットワークの他のユーザデバイスのために帯域幅の可用性が増加され得る。無線信号中継器１０４が、居間、寝室、オフィス空間等の限られた空間に無線ネットワークカバレッジを拡大するために使用される場合、無線信号中継器１０４は、複数の部屋又は大部屋等の大きなエリアにネットワークカバレッジを拡張することを意図している典型的な無線信号中継器よりも、比較的低い通常動作出力でユーザデバイスに信号を送信することができる。
【００３７】
[００４１］  いくつかの代替的な実施形態では、照明器具１００は、本開示の範囲から逸脱することなく、２つ以上の占有センサ１０２及び／又は２つ以上の無線信号中継器１０４を含んでもよい。いくつかの例示的な実施形態では、照明器具１００は、本開示の範囲から逸脱することなく、図示されていないコンポーネントを含んでもよい。いくつかの例示的な実施形態では、照明器具１００の１つ以上のコンポーネントは、単一のコンポーネントに統合されてもよい。例えば、センサ１０２及び中継器１０４は、単一のコンポーネントに統合されてもよい。いくつかの例示的な実施形態では、照明器具１００は、照明器具１００の異なるコンポーネントにパワーを供給し得る２つ以上の電源を含んでもよい。
【００３８】
[００４２］  図２は、例示的な実施形態による図１の無線信号中継器１０４のブロック図を示す。図１及び２を参照すると、いくつかの例示的な実施形態では、無線信号中継器１０４は、受信回路２０２、処理回路２０４、及び送信回路２０６を含んでもよい。無線信号中継器１０４はまた、コントローラ回路２０８及び任意にトランシーバ２１０を含んでもよい。処理回路２０４及びコントローラ回路２０８は各々、マイクロプロセッサ及び／又はマイクロコントローラ、メモリデバイス等を含んでもよく、本明細書で述べられる動作の一部を実施するためのソフトウェアコードを実行してもよい。
【００３９】
[００４３］  いくつかの例示的な実施形態では、受信回路２０２は、ルータ、アクセスポイント等のネットワークデバイスから無線信号を受信する１つ以上の無線信号受信機を含んでもよい。また、受信回路２０２は、デスクトップ、ラップトップ、タブレット、携帯電話等のユーザデバイスから無線信号を受信する１つ以上の無線信号受信機を含んでもよい。受信回路２０２は、無線信号中継器１０４による無線信号の成功裏の受信(successful reception)を可能にする１つ以上のアンテナ及び他のコンポーネントを含んでもよい。無線信号を受信した後、受信回路２０２は、受信信号を処理回路２０４に提供してもよい。
【００４０】
[００４４］  いくつかの例示的な実施形態では、処理回路２０４は、受信回路２０２から提供される受信信号を処理（例えば、フィルタリング、周波数変更等）し、出力信号を送信回路２０６に提供してもよい。送信回路２０６は、ユーザデバイス及びネットワークデバイスに無線信号を送信する１つ以上の送信機を含んでもよく、ここで、送信される無線信号は、本開示の恩恵を受けて当業者によって容易に理解され得るように、受信回路２０２によって受信された無線信号に対応する。
【００４１】
[００４５］  いくつかの例示的な実施形態では、コントローラ回路２０８は、受信回路２０２及び／又は送信回路２０６の動作を制御してもよい。例示するために、コントローラ回路２０８は、占有者が検出されないことを示す占有検出情報に応答して送信回路２０６が低出力レベルで無線信号を送信するように送信回路２０６を制御してもよい。例えば、コントローラデバイス２０８は、送信回路２０８によって送信される無線信号の出力レベルを制御するために占有検出情報に基づいて送信回路２０８の１つ以上の出力増幅器の利得を制御してもよい。また、コントローラ回路２０８は、占有者が検出されることを示す占有検出情報に応答して送信回路２０６が通常の動作出力レベルで無線信号を送信するように送信回路２０６を制御してもよい。
【００４２】
[００４６］  いくつかの例示的な実施形態では、コントローラ回路２０８は、無線信号の送信をオン及びオフするために占有検出情報に基づいて送信回路２０６を制御してもよい。例えば、コントローラ回路２０８は、無線信号の送信をオン及びオフするために送信回路２０８の１つ以上の出力増幅器の利得を制御してもよい。別の例として、コントローラ回路２０８は、無線信号の送信をオン及びオフするために送信回路２０８又は送信回路２０８の一部に供給されるパワーを制御してもよい。
【００４３】
[００４７］  いくつかの例示的な実施形態では、占有検出情報は、無線信号中継器１０４のセンサ信号インプットを介してコントローラ回路２０８に提供されてもよい。例えば、センサ信号インプットは、占有センサ１０２に電気的に結合されてもよい。代替的又は追加的に、コントローラ回路２０８は、例えば、トランシーバ２１０を含む無線信号中継器１０４の実施形態では、トランシーバ２１０から占有検出情報を受けてもよい。例えば、トランシーバ２１０は、照明器具１００の外部にある占有センサから占有検出情報を無線で受信してもよい。
【００４４】
[００４８］  いくつかの例示的な実施形態では、コントローラ回路２０８は、受信回路２０２及び／又はトランシーバ２１０を介して受信される信号を処理することにより空き及び／又は比較的混雑していないネットワークチャネルをスキャンしてもよい。例えば、監視された空間が占有されていることを示すセンサ１０２からの占有検出情報に応じて、コントローラ回路２０８は、空き及び／又は比較的混雑していないネットワークチャネル（例えば、Ｗｉ−Ｆｉネットワークチャネル）を識別するために受信回路２０２及び／又はトランシーバ２１０を介して受信される信号を処理してもよい。空き及び／又は比較的混雑していないチャネルを識別すると、コントローラ回路２０８は、識別された空き及び／又は比較的混雑していないチャネルにおいてユーザデバイスに無線信号を送信するように送信回路２０６を制御してもよい。
【００４５】
[００４９］  いくつかの代替的な実施形態では、無線信号中継器１０４は、本開示の範囲から逸脱することなく、図２に示されたコンポーネントよりも多い又は少ないコンポーネントを含んでもよい。いくつかの代替的な実施形態では、無線信号中継器１０４のいくつかのコンポーネントは、本開示の範囲から逸脱することなく、単一のコンポーネントに統合されてもよい。例えば、受信回路２０２及び送信回路２０６は、トランシーバに統合されてもよい。いくつかの代替的な実施形態では、無線信号中継器１０４は、本開示の範囲から逸脱することなく、図２に示されたコンポーネントとは異なるコンポーネントを用いて実装されてもよい。
【００４６】
[００５０］  図３は、例示的な実施形態によるセンサベースの照明及び中継システム(sensor-based lighting and repeater system)３００を示す。図１〜３を参照して、いくつかの例示的な実施形態では、システム３００は、ネットワークデバイス３０２（例えば、無線ルータ又はアクセスポイント）を含む建物３０４に設置される。例えば、建物３０４は、それぞれの照明器具３１４、３１６、３１８、及び３２０を含む部屋３０６、３０８、３１０、及び３１２を含む複数の部屋を含んでもよい。例えば、照明器具３１４〜３２０は各々、図１の照明器具１００に対応してもよく、したがって、無線信号中継器１０４を含んでもよい。
【００４７】
[００５１］  いくつかの例示的な実施形態では、各照明器具３１４〜３２０は、ネットワークデバイス３０２によって送信される無線信号のネットワークカバレッジを拡張してもよい。例えば、ネットワークデバイス３０２は、照明器具３１４〜３２０とは異なる部屋に配置されてもよく、ネットワークデバイス３０２によって送信される無線信号は、部屋３０６〜３１２の一部のすべてのエリアに適切なネットワークカバレッジを提供するには弱すぎてもよい。例示するために、ネットワークデバイス３０２によって送信される無線信号は、破線３２８で囲まれたエリア内で最も強いネットワークカバレッジを提供してもよく、破線３２８と点線３３０との間のエリア内で中位の(medium)ネットワークカバレッジを提供してもよく、点線３３０と実線３３２との間のエリア内で弱いネットワークカバレッジを提供してもよい。
【００４８】
[００５２］  いくつかの例示的な実施形態では、各照明器具３１４〜３２０の無線信号中継器１０４は、それぞれの部屋が占有されていない場合、比較的低い出力レベルでユーザデバイスに無線信号を送信してもよい。例えば、照明器具３１４の占有センサ１０２からの占有検出情報が、部屋３０６が占有されていないことを示す場合、照明器具３１４の無線信号中継器１０４は、比較的低い出力レベルで無線信号を送信してもよい。例示するために、部屋３０６が占有されていない場合、照明器具３１４の無線信号中継器１０４によって送信される低出力無線信号によって提供されるネットワークカバレッジは、一般的に点線円３２２に限定されてもよい。
【００４９】
[００５３］  いくつかの例示的な実施形態では、各照明器具３１４〜３２０の無線信号中継器１０４は、それぞれの占有センサ１０２からの占有検出情報によって示されるように、それぞれの部屋が占有されている場合、通常の動作出力レベルでユーザデバイスに無線信号を送信してもよい。例えば、照明器具３１４の占有センサ１０２からの占有検出情報が部屋３０６が占有されていることを示す場合、照明器具３１４の無線信号中継器１０４は、部屋３０６内のユーザデバイスが照明器具３１４の無線信号中継器１０４を介してネットワークデバイス３０２と無線で通信することを可能にする通常の動作出力レベルで無線信号を送信してもよい。例えば、照明器具３１４の無線信号中継器１０４によって送信される無線信号によって提供される最も強いネットワークカバレッジは、破線円３２４に限定されてもよく、これらの無線信号によって提供されるネットワークカバレッジは、点線円３２６の外側では弱いものであってもよい。
【００５０】
[００５４］  いくつかの例示的な実施形態では、他の照明器具３１６〜３２０は、それぞれの部屋／エリアが占有されているかどうかに基づいてネットワークデバイス３０２によって送信される無線信号のネットワークカバレッジを拡張するために照明器具３１４と同様に動作する。いくつかの例示的な実施形態では、照明器具３１４〜３２０の一部は、無線メッシュネットワーク内のノードであってもよい。例示するために、照明器具３１４〜３２０は、ネットワークデバイス３０２から、照明器具３１４〜３２０のうちの別の照明器具から、及び／又はユーザデバイス（例えば、ラップトップ、携帯電話等のユーザデバイス３３４）から無線信号を受信し、出力無線信号をより高い出力で照明器具３１４〜３２０のうちの別の照明器具に送信してもよい。例えば、照明器具３１６は、照明器具３１４から入力無線信号を受信し、当該照明器具３１６の占有センサ１０２によって１人以上の占有者が検出される場合、該入力無線信号から生成される出力無線信号をより高い出力で送信してもよい。照明器具３１６によって送信される出力無線信号は、照明器具３１８によって受信されてもよく、照明器具３１８は、当該照明器具３１８の占有センサ１０２によって１人以上の占有者が検出される場合、受信された信号から生成されるそれぞれの無線出力信号を送信してもよい。
【００５１】
[００５５］  いくつかの例示的な実施形態では、照明器具３１４〜３２０のうちの１つ以上は、図１に関して述べられたのと同様に、それぞれの照明器具３１４〜３２０に記憶されるユーザプロファイルに基づいて特定のユーザデバイス（例えば、ユーザデバイス３３４）に帯域幅を割り当ててもよい。いくつかの例示的な実施形態では、照明器具３１４〜３２０のうちの１つ以上は、それぞれの無線信号中継器１０４を介してネットワークアクセスを制御してもよい。例えば、照明器具３１４〜３２０のそれぞれの無線信号中継器１０４は、あるネットワークアドレス及び／又はインターネットアドレスからのアクセス及び／又はそれらへのアクセスをブロックするように構成されてもよい。また、照明器具３１４〜３２０のうちの１つ以上の照明器具の無線信号中継器１０４は、照明器具３１４〜３２０のうちのそれぞれの１つ以上の照明器具の占有センサ１０２による占有検出に基づいてネットワーク内のルーティング（例えば、ユーザデバイスから別のユーザデバイス、プリンタ等へのルーティング）を制御してもよい。例えば、照明器具３１４の無線信号中継器１０４は、部屋３０６内に１人以上の占有者が検出される場合、ユーザデバイス３３４（例えば、ラップトップ）とユーザデバイス３３６（例えば、プリンタ）との間で無線信号をルーティングしてもよい。一般に、照明器具３１４〜３２０のうちの１つ以上の照明器具の無線信号中継器１０４は、１人以上の占有者がそれぞれの監視空間で検出されるかどうかに基づいて動作するネットワークルータ（例えば、Ｗｉ−Ｆｉルータ）として動作してもよい。
【００５２】
[００５６］  照明器具３１４〜３２０は、建物３０４にわたり分散されているので、照明器具３１４〜３２０の個々の無線信号中継器は、ネットワークカバレッジをそれぞれのエリアに拡張するために十分に高い出力レベルで無線信号を送信することができる。それぞれの部屋／エリアが占有されているかどうかに基づいて無線信号の送信を制御することにより、照明器具３１４〜３２０の無線信号中継器は、ネットワーク輻輳及び干渉のリスクを減らしながら、電力の無駄を回避することができる。さらに、ネットワークカバレッジを比較的小さなエリアに拡張することにより、ネットワークのセキュリティリスクは減らされることができる。
【００５３】
[００５７］  いくつかの代替的な実施形態では、システム３００は、本開示の範囲から逸脱することなく、図示されているよりも多い又は少ない照明器具を含んでもよい。いくつかの代替的な実施形態では、システム３００のコンポーネントは、本開示の範囲から逸脱することなく、図示されたものとは異なる構成(configuration)で配置されてもよい。いくつかの代替的な実施形態では、システム３００のネットワークカバレッジエリアは、図３に示されたものと異なってもよい。いくつかの代替的な実施形態では、システム３００は、本開示の範囲から逸脱することなく、図示されたものとは異なるフロアプランの建物に配置されてもよい。
【００５４】
[００５８］  図４は、例示的な実施形態によるセンサベースの照明及び中継システム４００を示す。いくつかの例示的な実施形態では、システム４００は、照明器具４０２及び占有センサ４０４を含んでもよい。照明器具４０２は、無線信号中継器４０６、光源４０８（例えば、ＬＥＤ光源）、及び同じ又は別個のパワーアウトプットで無線信号中継器４０６及び光源４０８にパワーを供給し得る電源４１０を含んでもよい。例えば、電源４１０は、図１の電源１０８に対応してもよく、上述したのと同様に動作してもよい。光源４０８は、図１の光源１０６に対応してもよい。
【００５５】
[００５９］  いくつかの例示的な実施形態では、占有センサ４０４は、図１の占有センサ１０２に対応するスタンドアロンの占有センサであってもよい。代替的に、占有センサ４０４は、占有センサ１０２に対応してもよく、別の照明器具、壁に取り付けられたスイッチ、レセプタクル、非照明デバイス等の別のデバイスに組み込まれてもよい。占有センサ４０４は、占有検出情報を照明器具４０２に無線で送信してもよい。代替的に、占有センサ４０４は、有線電気的接続を介して照明器具４０２に結合されてもよく、占有検出情報を有線電気的接続を介して照明器具４０２に送信してもよい。占有検出情報は、占有センサ４０４によって監視される空間が占有されていることを示してもよい。代替的又は追加的に、占有検出情報は、占有センサ４０４によって監視される空間が占有されていないことを示してもよい。例えば、占有センサ４０４は、占有センサ４０４によって監視される空間内の１人以上の占有者の検出に応じて占有検出情報を照明器具４０２に送信してもよい。
【００５６】
[００６０］  いくつかの例示的な実施形態では、照明器具４０２はまた、無線信号を介して占有センサ４０４から占有検出情報を受信する無線トランシーバを含んでもよい通信回路４１２を含んでもよい。通信回路４１２は、受信された占有検出情報を無線信号中継器４０６及び／又は電源４１０に提供してもよい。いくつかの例示的な実施形態では、通信回路４１２は、光源４０８によって提供される照明を制御するために使用される照明制御コマンドを受ける等の照明制御通信に使用されてもよい。
【００５７】
[００６１］  いくつかの例示的な実施形態では、無線信号中継器４０６は、図１及び図２の無線信号中継器１０４に対応してもよく、上述したのと同じ又は同様に動作してもよい。例示するために、無線信号中継器４０６は、通信回路４１２によって受信される占有検出情報が１人以上の占有者の検出を示すかどうかに応じて、比較的低い出力レベルで、又は通常の動作出力レベルで無線信号を送信してもよい。例えば、無線信号中継器４０６は、図１〜３に関して述べられたのと同様に、占有検出情報が占有者が検出されないことを示す場合、無線信号の送信を停止してもよい。いくつかの例示的な実施形態では、占有検出情報が占有者が検出されないことを示す場合、又は監視される空間が占有されていないことを示す場合、無線信号中継器４０６の少なくとも一部に供給されるパワーは、電源４１０によって、又は無線信号中継器４０６によってオフされてもよい。
【００５８】
[００６２］  いくつかの例示的な実施形態では、システム４００は、オーバーラップしない又は部分的にオーバーラップする検出空間／エリア内の占有を検出する２つ以上の占有センサを含んでもよい。例えば、通信回路４１２は、複数のセンサから占有検出情報を受信し、それぞれの占有検出情報を無線信号中継器４０６に提供してもよい。代替的又は追加的に、システム４００は、占有センサ４０４と同様に動作する複数の占有センサを含んでもよい。例示するために、異なる占有センサは、オーバーラップしない又は部分的にオーバーラップする検出空間／エリア内の占有を検出するように位置付けられてもよく、照明器具４０２にそれぞれの占有検出情報を提供してもよい。無線信号中継器４０６は、同様に複数の占有センサからの占有検出情報に基づいて動作してもよい。
【００５９】
[００６３］  いくつかの例示的な実施形態では、センサベースの照明及び中継システム４００は、図３のシステム３００において使用されてもよい。例えば、システム４００は、システム３００の照明器具の１つ以上に加えて、又はその代わりに使用されてもよい。いくつかの代替的な実施形態では、照明器具４０２は、他のコンポーネントを含んでもよい。いくつかの代替的な実施形態では、照明器具４０２の１つ以上のコンポーネントは、単一のコンポーネントに統合されてもよい。例えば、通信回路４１２は、無線信号中継器４０６又は電源４１０に組み込まれてもよい。いくつかの代替的な実施形態では、照明器具４０２のコンポーネントは、図示されているものとは異なる構成で結合されてもよい。
【００６０】
[００６４］  図５は、別の例示的な実施形態によるセンサベースの照明及び中継システム５００を示す。いくつかの例示的な実施形態では、システム５００は、照明器具５０２及び無線信号中継器５０４を含んでもよい。照明器具５０２は、占有センサ５０６、光源５０８（例えば、ＬＥＤ光源）、及び同じ又は別個のパワーアウトプットで占有センサ５０６及び光源５０８にパワーを供給し得る電源５１０を含んでもよい。例えば、電源５１０は、電源１０８に対応してもよく、光源５０８は、光源１０６に対応してもよく、占有センサ５０６は、図１の占有センサ１０２に対応してもよい。
【００６１】
[００６５］  いくつかの例示的な実施形態では、無線信号中継器５０４は、図１及び図２の無線信号中継器１０４に対応するスタンドアロンの無線信号中継器であってもよい。代替的に、無線信号中継器５０４は、別の照明器具、壁に取り付けられたスイッチ、レセプタクル、非照明デバイス等の別のデバイスに組み込まれる無線信号中継器であってもよい。無線信号中継器５０４は、照明器具５０２から占有検出情報を無線で受信してもよい。代替的に、無線信号中継器５０４は、有線電気的接続を介して照明器具５０２に結合されてもよく、有線電気的接続を介して照明器具５０２から占有検出情報を受信してもよい。占有検出情報は、占有センサ５０６によって監視される空間が占有されていることを示してもよい。代替的又は追加的に、占有検出情報は、占有センサ５０６によって監視される空間が占有されていないことを示してもよい。例えば、占有センサ５０６は、占有センサ５０６によって監視される空間内の１人以上の占有者の検出に応じて占有検出情報を照明器具５０２に送信してもよい。
【００６２】
[００６６］  いくつかの例示的な実施形態では、無線信号中継器５０４は、図１〜４に関して述べられたのと同様に、占有検出情報に基づいて無線信号中継器５０４による無線信号の送信を制御してもよい。例示するために、無線信号中継器５０４は、照明器具５０２から受信される占有検出情報が１人以上の占有者の検出を示すかどうかに応じて、比較的低い出力レベルで、又は通常の動作出力レベルで無線信号を送信してもよい。例えば、無線信号中継器５０４は、照明器具５０２からの占有検出情報が占有者の検出を示さない場合、又は占有センサ５０６によって監視される空間が占有されていないことを示す場合、ユーザデバイスへの無線信号の送信を停止してもよい。
【００６３】
[００６７］  いくつかの例示的な実施形態では、照明器具５０２は、占有センサ５０６からの占有検出情報を無線信号中継器５０４に無線で送信する無線トランシーバを含んでもよい通信回路５１２を含んでもよい。また、占有センサ５０６は、占有検出情報を電源５１０に提供してもよく、電源５１０は、占有者の検出に基づいて光源５０８に供給されるパワーを制御してもよい。いくつかの例示的な実施形態では、通信回路５１２は、光源５０８によって提供される照明を制御するために使用される照明制御コマンドを受ける等の照明制御通信に使用されてもよい。
【００６４】
[００６８］  いくつかの例示的な実施形態では、センサベースの照明及び中継システム５００は、図３のシステム３００において使用されてもよい。例えば、システム５００は、システム３００の照明器具の１つ以上に加えて、又はその代わりに使用されてもよい。いくつかの例示的な実施形態では、システム５００は、照明器具５０２からの占有検出情報に基づいて動作する追加の無線信号中継器を含んでもよい。いくつかの代替的な実施形態では、照明器具５０２は、他のコンポーネントを含んでもよい。いくつかの代替的な実施形態では、照明器具５０２の１つ以上のコンポーネントは、単一のコンポーネントに統合されてもよい。例えば、通信回路５１２は、占有センサ５０６又は電源５１０に組み込まれてもよい。いくつかの代替的な実施形態では、照明器具５０２のコンポーネントは、図示されているものとは異なる構成で結合されてもよい。
【００６５】
[００６９］  特定の実施形態が本明細書で詳細に述べられてきたが、その記述は例示のためのものである。本明細書で述べられる実施形態の特徴は代表的なものであり、代替的な実施形態では、特定の特徴、要素、及び／又はステップが追加又は省略されてもよい。さらに、本明細書で述べられる実施形態の態様に対する修正は、以下の特許請求の範囲の精神及び範囲から逸脱することなく、当業者であれば行うことができ、その範囲は、修正及び同等の構造を包含するように最も広い解釈が与えられるべきである。
【図１】
2021519492.tif 000003
【図２】
2021519492.tif 000004
【図３】
2021519492.tif 000005
【図４】
2021519492.tif 000006
【図５】
2021519492.tif 000007
【国際調査報告】
2021519492.tif 000008
2021519492.tif 000009